(57)【要約】【課題】ホルムアルデヒドガス滅菌処理とＬＴＳＦ滅菌処理とのいずれの滅菌処理においても変色によって滅菌完了時を正確に検知して表示でき、冷蔵保管・冷蔵輸送が不要で、簡便かつ安価に歩留り良く製造できるホルムアルデヒド滅菌インジケータを提供する。【解決手段】ホルムアルデヒド滅菌インジケータは、分子内非水素結合性ナフトール水酸基を含有するナフトールスルホン酸類からなる変色成分を含み、ホルムアルデヒドガス及びホルムアルデヒド含有水蒸気のいずれとの接触によっても変色して滅菌完了を表示するものである。【選択図】図１
2018040584.tif 000002
【特許請求の範囲】
【請求項１】
分子内非水素結合性ナフトール水酸基を含有するナフトールスルホン酸類からなる変色成分を含み、ホルムアルデヒドガス及びホルムアルデヒド含有水蒸気のいずれとの接触によっても変色して滅菌完了を表示することを特徴とするホルムアルデヒド滅菌インジケータ。
【請求項２】
前記ナフトールスルホン酸類が、下記化学式（１）
【化１】
2018040584.tif 000014
（化学式（１）中、Ｘは水素原子、水酸基、又はアミノ基であり、Ｙは水素原子、アミノ基又はＳＯ３Ｍであり、Ｍは水素原子又はアルカリ金属である）で表わされるα−ナフトールスルホン酸類、
及び／又は下記化学式（２）
【化２】
2018040584.tif 000015
（化学式（２）中、Ｘ、Ｙ、及びＭは前記化学式（１）に同じ）
で表されるβ−ナフトールスルホン酸類であることを特徴とする請求項１に記載のホルムアルデヒド滅菌インジケータ。
【請求項３】
前記ナフトールスルホン酸類が、１−ナフトール−３−スルホン酸、１−ナフトール−３，６−ジスルホン酸、４，６−ジヒドロキシナフタレン−２−スルホン酸、３，６−ジヒドロキシナフタレン−２，７−ジスルホン酸、３−ヒドロキシ−２，７−ナフタレンジスルホン酸、６−アミノ−１−ナフトール−３−スルホン酸、６−アミノ−４−ヒドロキシ−２−ナフタレンスルホン酸、これらの塩、これらの水和物、及びこれらの塩の水和物から選ばれる少なくとも一種であることを特徴とする請求項１又は２に記載のホルムアルデヒド滅菌インジケータ。
【請求項４】
ベースシートに付されたインキ層に、前記変色成分が含まれていることを特徴とする請求項１から３のいずれかに記載のホルムアルデヒド滅菌インジケータ。
【請求項５】
前記インキ層が前記変色成分とこれを分散、溶解、及び／又は混合しているビヒクルとを含んでおり、前記インキ層中での前記変色成分の含有率を０．１〜４０質量％としていることを特徴とする請求項４に記載のホルムアルデヒド滅菌インジケータ。
【請求項６】
前記ホルムアルデヒドガス及び前記ホルムアルデヒド含有水蒸気を透過する前記ベースシートとこれに向き合った可撓シートとが周縁で接合された接合部位を有し被滅菌物を収容する包装袋であり、前記インキ層が両シート間に挟まれ前記接合部位に付されていることを特徴とする請求項４に記載のホルムアルデヒド滅菌インジケータ。
【請求項７】
前記ホルムアルデヒドガス及び前記ホルムアルデヒド含有水蒸気を透過する前記ベースシートとこれに重なって接合されている可撓性又は非可撓性の被覆シートとの間に前記インキ層が挟まれている滅菌表示カードであることを特徴とする請求項４に記載のホルムアルデヒド滅菌インジケータ。
【請求項８】
請求項１から７のいずれかに記載のホルムアルデヒド滅菌インジケータを、被滅菌物とともにホルムアルデヒドガス滅菌処理又は低温蒸気ホルムアルデヒド滅菌処理を施し、前記変色成分をホルムアルデヒドで変色させることにより、滅菌の程度及び／又は完了を表示することを特徴とするホルムアルデヒド滅菌インジケータの使用方法。
【発明の詳細な説明】
【技術分野】
【０００１】
本発明は、医療機器のような被滅菌物に滅菌を施すのに使用されるホルムアルデヒド滅菌の完了を表示するのに適したホルムアルデヒド滅菌インジケータ及びその使用方法に関する。
【背景技術】
【０００２】
医療機器のような被滅菌物の滅菌処理として、被滅菌物をホルムアルデヒドに接触させるという滅菌処理が採用されている。この滅菌処理として、低湿度下でホルムアルデヒドガスに被滅菌物を接触させるホルムアルデヒドガス滅菌処理と、高湿度下のホルムアルデヒド含有水蒸気に被滅菌物を接触させる低温蒸気ホルムアルデヒド滅菌処理（Low Temperature Steam Formaldehyde；ＬＴＳＦ滅菌処理）とが挙げられる。
【０００３】
ホルムアルデヒドガス滅菌処理は、滅菌室と加温装置とを有する滅菌器を用いて実施される。具体的に、ホルムアルデヒド水溶液を加温装置に注入し、これを加温することによって生じた低湿度ホルムアルデヒドガスを、被滅菌物を収容した滅菌室内に導入して滅菌処理を行う方法である。この滅菌処理方法によれば、２５〜３０℃という常温、約５０〜６０％ＲＨの湿度、及び常圧の条件下で、被滅菌物は、ホルムアルデヒドガスに直接接触して滅菌される。
【０００４】
ＬＴＳＦ滅菌処理は、滅菌室と加温装置と滅菌室内を減圧する真空ポンプとを有する滅菌器を用いて実施される。まず減圧乃至真空条件下、ホルムアルデヒド水溶液を加熱装置によって５５〜８０℃で沸騰させる。それにより生じた同温度範囲の多湿度の低温ホルムアルデヒド含有水蒸気で、被滅菌物を収容し減圧乃至真空に保たれた滅菌室内に吸引して満たし、滅菌室内を８０％ＲＨ以上、具体的には９５〜１００％ＲＨの高湿条件として滅菌処理を行う方法である。この滅菌処理方法によれば、被滅菌物は、ホルムアルデヒド含有水蒸気に接触して滅菌される。
【０００５】
これらの滅菌処理において、滅菌処理が完了したとき、被滅菌物がホルムアルデヒドに万遍なく接触して完全に滅菌されたことを作業者等が認識できるように、ホルムアルデヒドに所定濃度で所定時間接触することによって不可逆的に変色して滅菌完了を表示するインキ層を有するホルムアルデヒド滅菌インジケータが用いられる。
【０００６】
このインキ層を形成するためのインキとして、例えば特許文献１に、クロモトロプ酸二ナトリウムを含有するホルムアルデヒドガス滅菌処理用のインキ組成物が開示されている。クロモトロプ酸二ナトリウムは、常温よりも高い温度でホルムアルデヒド含有水蒸気と直ちに反応し、多湿下の水蒸気と高温との所為で極めて速やかに変色する。そのためホルムアルデヒドガス滅菌処理よりも高い温度で実施されるＬＴＳＦ滅菌処理に使用すると、滅菌開始直後に滅菌処理完了前であるにも関わらず変色してしまい、被滅菌物の滅菌処理が不十分であっても完了と判断されてしまう。
【０００７】
一方、特許文献２に、コンゴーレッド等の有機染料を含有するＬＴＳＦ滅菌処理用の化学指示薬インキが開示されている。コンゴーレッドのようなジアゾ系芳香環を有する有機染料は、ホルムアルデヒド分子と媒体中で化合してπ−π遷移を生じて変色するため、変色には水蒸気のような水媒体を要する。そのため、比較的低湿条件下でホルムアルデヒドガスにより直接滅菌が施され湿気がホルムアルデヒドガスと有機染料との化合に関与し難いホルムアルデヒドガス滅菌に使用する際、所定の色調へ変色し難く、被滅菌物の滅菌処理が完了していても、未完了と判断されてしまう。それにより滅菌処理時間が無駄に延長されるので、この化学指示薬インキをホルムアルデヒドガス滅菌に用いることができない。
【０００８】
またこの化学指示薬インキが、ホルムアルデヒドガスとの接触によって所定の色調に変色したとしても、ホルムアルデヒドガス滅菌完了後にホルムアルデヒドを中和するアンモニアが滅菌室内に導入されることによって生じる滅菌室内のｐＨ変化に起因して、化学指示薬インキが変色前の色調に戻ってしまう。
【０００９】
このように、これらのインキ組成物は、ホルムアルデヒドガス滅菌処理とＬＴＳＦ滅菌処理とのいずれか一方にしか用いることができない。このため、各滅菌処理の都度、専用のホルムアルデヒド滅菌インジケータを使い分けるという煩雑な操作が必要であることに加えて、複数種のホルムアルデヒド滅菌インジケータを購入・保管・管理しなければならないので、取り扱いが複雑である。このことは、ホルムアルデヒド滅菌インジケータを取扱う作業者に、ホルムアルデヒド滅菌インジケータの選択ミスを生じさせ、滅菌完了を誤認させてしまう原因となっている。
【００１０】
特許文献３に、ヒドラジン化合物と、ピリミジン化合物と、有機酸と、アミノ化合物とを変色成分として有するホルムアルデヒド滅菌用インジケータ組成物が、開示されている。このホルムアルデヒド滅菌用インジケータ組成物は、ホルムアルデヒドガス滅菌処理とＬＴＳＦ滅菌処理とのいずれにも用いることができる。しかし、このホルムアルデヒド滅菌用インジケータは、保管中にホルムアルデヒド非存在下でもヒドラジン化合物の空気酸化や分解等の副反応を引き起こし易い。そこでそれを回避するため低温にして、冷蔵・冷凍して保管・輸送しなければならず、取り扱いが煩雑である。しかも、変色成分として複数種類の物質を用いているので、原材料管理や製造工程の複雑化及びコストの高騰を招来している。
【先行技術文献】
【特許文献】
【００１１】
【特許文献１】特開平９−２６４２０号公報
【特許文献２】特開２００３−２２２６２０号公報
【特許文献３】特開平７−５５７９６号公報
【発明の概要】
【発明が解決しようとする課題】
【００１２】
本発明は前記の課題を解決するためになされたもので、ホルムアルデヒドガス滅菌処理とＬＴＳＦ滅菌処理とのいずれの滅菌処理においても変色によって滅菌完了時を正確に検知して表示でき、冷蔵保管・冷蔵輸送が不要で、簡便かつ安価に歩留り良く製造できるホルムアルデヒド滅菌インジケータ、及びその使用方法を提供することを目的とする。
【課題を解決するための手段】
【００１３】
前記の目的を達成するためになされた、本発明のホルムアルデヒド滅菌インジケータは、分子内非水素結合性ナフトール水酸基を含有するナフトールスルホン酸類からなる変色成分を含み、ホルムアルデヒドガス及びホルムアルデヒド含有水蒸気のいずれとの接触によっても変色して滅菌完了を表示するものである。
【００１４】
ホルムアルデヒド滅菌インジケータは、前記ナフトールスルホン酸類が、下記化学式（１）
【化１】
2018040584.tif 000003
（化学式（１）中、Ｘは水素原子、水酸基、又はアミノ基であり、Ｙは水素原子、アミノ基又はＳＯ３Ｍであり、Ｍは水素原子又はアルカリ金属である）で表わされるα−ナフトールスルホン酸類及び／又は下記化学式（２）
【化２】
2018040584.tif 000004
（化学式（２）中、Ｘ、Ｙ、及びＭは前記化学式（１）に同じ）で表されるβ−ナフトールスルホン酸類であってもよい。
【００１５】
ホルムアルデヒド滅菌インジケータは、前記ナフトールスルホン酸類が、１−ナフトール−３−スルホン酸、１−ナフトール−３，６−ジスルホン酸、４，６−ジヒドロキシナフタレン−２−スルホン酸、３，６−ジヒドロキシナフタレン−２，７−ジスルホン酸、３−ヒドロキシ−２，７−ナフタレンジスルホン酸、６−アミノ−１−ナフトール−３−スルホン酸、６−アミノ−４−ヒドロキシ−２−ナフタレンスルホン酸、これらの塩、これらの水和物、及びこれらの塩の水和物から選ばれる少なくとも一種であることが好ましい。
【００１６】
ホルムアルデヒド滅菌インジケータは、ベースシートに付されたインキ層に、前記変色成分が含まれていてもよい。
【００１７】
ホルムアルデヒド滅菌インジケータは、前記インキ層が前記変色成分とこれを分散、溶解、及び／又は混合しているビヒクルとを含んでおり、前記インキ層中での前記変色成分の含有率を０．１〜４０質量％としていることが好ましい。
【００１８】
ホルムアルデヒド滅菌インジケータは、前記ホルムアルデヒドガス及び前記ホルムアルデヒド含有水蒸気を透過する前記ベースシートとこれに向き合った可撓シートとが周縁で接合された接合部位を有し被滅菌物を収容する包装袋であり、前記インキ層が両シート間に挟まれ前記接合部位に付されていてもよい。
【００１９】
ホルムアルデヒド滅菌インジケータは、前記ホルムアルデヒドガス及び前記ホルムアルデヒド含有水蒸気を透過する前記ベースシートとこれに重なって接合されている可撓性又は非可撓性の被覆シートとの間に前記インキ層が挟まれている滅菌表示カードであることが好ましい。
【００２０】
本発明のホルムアルデヒド滅菌インジケータの使用方法は、上記いずれかのホルムアルデヒド滅菌インジケータを、被滅菌物とともにホルムアルデヒドガス滅菌処理又は低温蒸気ホルムアルデヒド滅菌処理を施し、前記変色成分をホルムアルデヒドで変色させることにより、滅菌の程度及び／又は完了を表示するというものである。
【発明の効果】
【００２１】
本発明のホルムアルデヒド滅菌インジケータによれば、変色成分であるナフトールスルホン類が非アゾ系で分子内非水素結合性ナフトール水酸基を含有するナフトールスルホン酸類であるので、常温で被滅菌物とホルムアルデヒドガスとが接触するホルムアルデヒドガス滅菌処理と、常温よりも高い温度で被滅菌物とホルムアルデヒド含有水蒸気とが接触するＬＴＳＦ滅菌処理との双方に使用することができ、かつこれらの滅菌処理において不可逆的に所定の色調へ変色して滅菌の完了を正確かつ確実に表示するので、高い信頼性を有している。
【００２２】
ホルムアルデヒド滅菌インジケータは、変色成分がナフトールスルホン酸類のみからなるものであるので、低コストで速やかに、かつ簡便に製造することができる。
【００２３】
しかも、このホルムアルデヒド滅菌インジケータは、常温・常湿で変色・変質せず、常温・常湿で輸送・保管することができ、取り扱いが簡便であり、作業者の負担を軽減できる。ホルムアルデヒド滅菌インジケータは、変色成分の安定性に起因して、有効期間が長く、使用前に長期間保管でき、一方、使用して変色した後に長期間褪色しないので滅菌履歴の証拠として保存することができる。
【００２４】
ホルムアルデヒド滅菌インジケータは、ベースシートと可撓シートとの周縁部で互いに貼り付いた包装袋の接合部位で、両シートに変色成分含有インキ層が挟まれつつ付されているものであると、滅菌前後でインキ層が他の包装袋と擦れ合わないのでインキ層を損傷せず、さらにインキ層が被滅菌物と接触しないので被滅菌物を汚染せずに、滅菌の程度及び／又は完了を示すことができる。ホルムアルデヒド滅菌インジケータは、ベースシートと被覆シートとの間に変色成分含有インキ層が挟まれている滅菌表示カードであると、包装形状に関わりなく、また滅菌室の任意箇所に必要に応じて複数設置して、被滅菌物や包装材を汚染せずに、滅菌の程度及び／又は完了を示すことができる。
【００２５】
本発明のホルムアルデヒド滅菌インジケータの使用方法によれば、ホルムアルデヒドガス滅菌処理、及びＬＴＳＦ滅菌処理のいずれにおいても、複数種のホルムアルデヒド滅菌インジケータを使い分けることを要さないので、作業者に使用すべきインジケータの選択ミスを生じさせない。
【図面の簡単な説明】
【００２６】
【図１】本発明のホルムアルデヒド滅菌インジケータである包装袋の一例を示す斜視図である。
【図２】図１に示すホルムアルデヒド滅菌インジケータのＡ−Ａ線模式横断面図である。
【図３】本発明のホルムアルデヒド滅菌インジケータである滅菌表示カードのホルムアルデヒド滅菌処理前及び処理後の平面図、並びにホルムアルデヒド滅菌インジケータのＢ−Ｂ線模式横断面図である。
【発明を実施するための形態】
【００２７】
以下、本発明を実施するための形態を詳細に説明するが、本発明の範囲はこれらの形態に限定されるものではない。
【００２８】
本発明のホルムアルデヒド滅菌インジケータの一例である包装袋の斜視図を図１に示す。同図に示すホルムアルデヒド滅菌インジケータ１０は、ベースシート１４と樹脂製で透明な可撓シート１５とを有する大略矩形の滅菌バッグである。この滅菌バッグは、医療器具のような被滅菌物（不図示）を収容するものである。
【００２９】
ベースシート１４は、ホルムアルデヒドガス及びホルムアルデヒド含有水蒸気透過性で、かつ細菌不透過性の滅菌紙である。また可撓シート１５は、ホルムアルデヒドガス、ホルムアルデヒド含有水蒸気、及び細菌不透過性の透明な樹脂フィルムである。ベースシート１４と、可撓シート１５とは、周縁部である側縁部１２ａ及び下縁部１２ｂの三辺で熱融着されて接合している。それによって両シート１４，１５は、側縁部１２ａ及び下縁部１２ｂで互いに貼り付いた接合部位１２を有している。熱融着されていない一辺が開口部１３である。可撓シート１５は透明であるので、滅菌バッグであるホルムアルデヒド滅菌インジケータ１０内に収容された被滅菌物が、これを通して視認される。
【００３０】
ベースシート１４の外面の中央部に第１インキ層１１ａが、付されている。側縁部１２ａで、第２インキ層１１ｂが、ベースシート１４と、可撓シート１５とに挟まれて付されている。第１インキ層１１ａはリング形をなしており、第２インキ層１１ｂは略矩形をなしている。これらのインキ層１１は、ホルムアルデヒド滅菌インジケータ用インキによって形成されており、このインキ層１１に、ホルムアルデヒドガス及びホルムアルデヒド含有水蒸気のいずれとの接触によっても変色する変色成分が含まれている。ホルムアルデヒド滅菌インジケータ用インキは、変色成分と共に、ビヒクルや非変色成分の各種添加剤を含んで調製されていてもよい。インキ層は、第１インキ層１１ａ及び第２インキ層１１ｂのいずれか一方のみでもよい。
【００３１】
この変色成分は、分子内非水素結合性ナフトール水酸基を含有するナフトールスルホン酸類からなっている。分子内非水素結合性ナフトール水酸基とは、同一のナフタレン環に結合した別な水酸基と水素結合を形成しない水酸基をいう。分子内非水素結合性ナフトール水酸基を有するナフトールスルホン酸類は、例えば下記化学式（１）
【化３】
2018040584.tif 000005
（化学式（１）中、Ｘは水素原子、水酸基、又はアミノ基であり、Ｙは水素原子、アミノ基、又はＳＯ３Ｍであり、Ｍは水素原子、又はＬｉ、Ｎａ及びＫのようなアルカリ金属である）や、下記化学式（２）
【化４】
2018040584.tif 000006
（化学式（２）中、Ｘ、Ｙ、及びＭは化学式（１）に同じ）で表すことができるものである。
【００３２】
化学式（１）で表されるα−ナフトールスルホン酸類、及び化学式（２）で表されるβ−ナフトールスルホン酸類として、具体的に、１−ナフトール−３−スルホン酸、１−ナフトール−３，６−ジスルホン酸、４，６−ジヒドロキシナフタレン−２−スルホン酸、３，６−ジヒドロキシナフタレン−２，７−ジスルホン酸、３−ヒドロキシ−２，７−ナフタレンジスルホン酸、６−アミノ−１−ナフトール−３−スルホン酸、及び６−アミノ−４−ヒドロキシ−２−ナフタレンスルホン酸から選ばれる少なくとも一種のみからなる非アゾ系の特定のナフトールスルホン酸類又はジヒドロキシナフタレンスルホン酸類が挙げられる。これらのナフトールスルホン酸類は、塩であっても、水和物であっても、塩の水和物であってもよい。
【００３３】
例えば、１−ナフトール−３，６−ジスルホン酸二ナトリウム水和物である変色成分は、ホルムアルデヒドガス及びホルムアルデヒド含有水蒸気と未接触の状態で、白色を呈している。加温されたホルムアルデヒド水溶液から生じたホルムアルデヒドガスによって、常圧下、常温下、湿度５０〜６０％ＲＨの条件で実施されるホルムアルデヒドガス滅菌処理が施されることにより、淡橙色を呈し、元の白色に戻らない。また、変色成分としての１−ナフトール−３，６−ジスルホン酸二ナトリウム水和物は、減圧乃至真空下、温度５５〜８０℃、及び湿度８０％ＲＨ以上の条件で実施されるＬＴＳＦ滅菌処理が施されることにより、濃橙色を呈し、元の白色に戻らない。
【００３４】
インキ層１１に含まれる変色成分は、ホルムアルデヒドと接触して、例えば縮合、共縮合、重縮合、ジメチロール化することによって、π電子の非局在化状態が変化し、上記のように不可逆的に変色するものと考えられる。また変色成分は、比較的低湿かつ常温で行われるホルムアルデヒドガス滅菌処理において淡色系の色調を呈し、高湿かつ常温よりも高い温度で行われるＬＴＳＦ滅菌処理において濃色系の色調を呈する。この濃淡は湿度と温度に依存していると推察される。
【００３５】
このように、ホルムアルデヒドガス及びホルムアルデヒド含有水蒸気のいずれとの接触によっても反応して、不可逆的に変色し、滅菌処理後に褪色しない変色成分を含むインキ層１１が付されているので、本発明のホルムアルデヒド滅菌インジケータ１０は、滅菌処理が適正かつ十分に行われたことを正確かつ確実に示すことができ、その記録を保存することができる。またホルムアルデヒド滅菌インジケータ１０だけで、ホルムアルデヒドガス滅菌処理と、ＬＴＳＦ滅菌処理との双方に使用することができ、呈する色の濃淡によって、どちらが実施されたのかを示すことができる。そのため、このホルムアルデヒド滅菌インジケータ１０は、簡便に管理することができ、夫々の滅菌処理に応じて複数のインジケータを使い分けることを要さないので、作業者の作業負担を軽減できるとともに、インジケータの選択ミスを生じさせない。
【００３６】
また、この変色成分は、常温下で空気中の酸素や水分によって、酸化したり吸湿したりせず、光や熱で劣化せず、変色・変質しない。そのため、ホルムアルデヒド滅菌インジケータ１０は、冷蔵輸送や冷蔵保管を要さず、常温で輸送や保管をすることができ劣化せずに長期間ストックしておけるので、簡便に取り扱うことができる。またインキ層１１は、変色成分として、上述したナフトールスルホン酸類の少なくとも一種を含んでいるだけで、ホルムアルデヒドガス滅菌処理と、ＬＴＳＦ滅菌処理との双方で変色して滅菌処理完了を示すことができるので、ホルムアルデヒド滅菌インジケータ１０は、その変色成分の原材料の管理や製造工程を簡略化でき、極めて低コストで製造することができる。
【００３７】
インキ層１１は、ビヒクルを含んでおり、このビヒクルに、変色成分が、分散、溶解、及び／又は混合しているものであると、調製されたホルムアルデヒド滅菌インジケータ用インキをベースシート１４に印刷するだけで、インキ層１１を形成することができる。
【００３８】
ホルムアルデヒド滅菌インジケータ用インキが含むビヒクルとして、変色成分の変色を妨げず非変色性のもの、例えばアクリル樹脂、フェノール樹脂、ナイロン、エチルセルロース、ヒドロキシメチルセルロース、ポリビニルアルコール、カルボキシメチルセルロースが挙げられる。市販のインキビヒクルであるＰＡＳ８００メジウム（十条ケミカル株式会社製、商品名）、ハイセットマットメジウム（株式会社ミノグループ製、商品名）、であってもよい。ダイキュアＡＫ（ＤＩＣ株式会社製、商品名）、ＦＤＳニュー（東洋インキ株式会社製、商品名）、レイキュアＴＵ４４００（十条ケミカル株式会社製、商品名）、ＵＶＳＰＡクリヤー（帝国インキ製造株式会社製、商品名）、ＵＶ８４１８（株式会社セイコーアドバンス製、商品名）が挙げられる。
【００３９】
ホルムアルデヒド滅菌インジケータ用インキに、ビヒクルを溶解する溶媒が含まれていてもよい。このような溶媒は、例えば水、エタノール、ブタノール、酢酸エチル、酢酸イソアミル、メチルエチルケトン、メチルイソブチルケトン、キシレン、ジエチルベンゼン、トルエン、ブチルセロソルブ、エチルセロソルブ、ミネラルスピリット、さらにＵＶ硬化樹脂を用いた場合には、感光性樹脂のモノマーが挙げられる。溶媒は、ビヒクルの種類や印刷の方法に応じて適宜選択される。
【００４０】
ホルムアルデヒド滅菌インジケータ用インキは、変色成分の色調変化が明瞭となるように、変色成分を分散させるタルク、炭酸マグネシウム、及びシリカのような分散剤が含まれていてもよい。さらに印刷適性を向上させる沈降防止剤、増粘剤、及び界面活性剤のような添加物が含まれていてもよい。
【００４１】
必要に応じて、ホルムアルデヒド滅菌インジケータ用インキ中、変色成分以外に、発色増強剤として、例えばサリチル酸アンモニウム及び硫酸アンモニウムのようなアンモニウム塩類、塩酸エチルアミン及びアミノフェノールのようなアミン類、ベンゼンスルホンアミド及びニコチン酸アミドのようなアミド類、１，２，４−トリアゾール及び２−メルカプトベンゾチアゾールのような環状構造を持つ窒素化合物、並びに変色成分以外の有機硫黄化合物、例えばジペンタメチレンチウラムテトラスルフィド、２，２’−ジベンゾチアゾリルジスルフィド、Ｌ−シスチン、及び２，２’−ジトリルチオ尿素のようなチオ尿素化合物が含まれていてもよい。
【００４２】
このようなホルムアルデヒド滅菌インジケータ用インキによって形成されたインキ層１１に対する変色成分の含有率は、０．１〜４０質量％であることが好ましく、０．１〜３０質量％であることがより好ましい。変色成分の含有率が、これらの範囲内であることにより、ホルムアルデヒド滅菌インジケータ１０用は印刷適性に優れ、それにより形成されたホルムアルデヒド滅菌インジケータ１０は、明瞭で一見にして識別可能な色調変化を示す。一方、０．１質量％未満であると、変色前後の色調変化が目立たず、４０質量％を超えると、インキ層１１を形成することができない。
【００４３】
図２にホルムアルデヒド滅菌インジケータ１０のＡ−Ａ線模式横断面図を示す。ベースシート１４に用いられる滅菌紙は、パルプ、フラッシュ紡糸されたポリエチレン不織布、又はこれらの混抄紙のような不織シートであり、４０〜８０ｇ／ｍ２の目付を有していることが好ましい。ベースシート１４は、ホルムアルデヒドガス、及びホルムアルデヒド含有水蒸気を透過し、細菌を透過しない材料であればよく、これらの特性を有する多孔性の樹脂フィルムであってもよい。
【００４４】
可撓シート１５は、外側フィルム１５ａとラミネート層１５ｂと内側フィルム１５ｃとが、この順で貼り合わされて一体化しているものである。外側フィルム１５ａは、５〜２０μｍ、好ましくは８〜１５μｍの厚さを有する透明な二軸延伸ポリエチレンテレフタレート（ＰＥＴ）フィルムである。内側フィルム１５ｃは、１５〜１００μｍ好ましくは２０〜４０μｍの厚さを有する透明な無延伸ポリプロピレン（ＰＰ）フィルム又は低密度ポリエチレン（ＬＤＰＥ）フィルムである。
【００４５】
ラミネート層１５ｂは、外側フィルム１５ａと内側フィルム１５ｃとの間に介在しており、例えば、ポリエステルポリオール−イソシアネート系の２液型接着剤が外側フィルム１５ａ又は内側フィルム１５ｃに塗布された透明な接着層である。
【００４６】
ホルムアルデヒド滅菌インジケータ１０は、以下のように製造される。
【００４７】
まず、変色成分とビヒクルとを、ボールミル、ロールミル、サンドミル、及び／又はライカイ機のような分散機に投入して混合することによって、ホルムアルデヒド滅菌インジケータ用インキを調製する。変色成分は、ビヒクルに溶解していることが好ましい。それによれば、ホルムアルデヒド滅菌インジケータ１０がホルムアルデヒドガス滅菌処理及びＬＴＳＦ滅菌処理に供されることにより、インキ層１１ａ，１１ｂの全体が均一にするので、インキ層１１ａ，１１ｂの変色前後の色彩差が目立ち、視認性を向上させることができる。変色成分をビヒクルに分散させてもよい。それによれば、ビヒクルに分散された変色成分がこれに被覆されていることにより、変色成分の粒子表面が確りと保護されたり、平滑となって光の乱反射が防止されたりするので、ホルムアルデヒド滅菌インジケータ１０がより一層常温条件下での輸送・保管に優れた安定性を示したり、鮮明な色彩を示して視認し易くなったりする。ビヒクルは、ホルムアルデヒドガス及びホルムアルデヒドガス含有蒸気を透過するものであることが好ましい。またビヒクルと変色成分とを混合した後、溶媒を加えることによって、ホルムアルデヒド滅菌インジケータ用インキに各種印刷に適した粘度を付与してもよい。
【００４８】
次いで、ホルムアルデヒド滅菌インジケータ用インキを、ベースシート１４の素材である滅菌紙の一方の外向き面での中央部とその他方の内向き面での向かい合う二辺とに、印刷により付して、必要により溶剤を揮発させて、リング形状の第１インキ層１１ａと、矩形状の第２インキ層１１ｂとを形成する。
【００４９】
外側フィルム１５ａの一方の面に、接着剤を塗布してラミネート層１５ｂを形成し、そこへ内側フィルム１５ｃを、ドライラミネーション法によって貼り合わせ、可撓シート１５を作製する。
【００５０】
第２インキ層１１ｂと、内側フィルム１５ｃとを向き合わせて、ベースシート１４と可撓シート１５とを重ね、これらを周縁部の三辺にヒートシールを施して熱融着する。それにより、両シート１５，１６が互いに接合した下縁部１２ｂ、及び第２インキ層１１ｂを挟みつつ接合した側縁部１２ａである接合部位１２を形成して、滅菌バッグ状のホルムアルデヒド滅菌インジケータ１０を得る。
【００５１】
ホルムアルデヒド滅菌インジケータ１０の使用方法を、図１及び２を参照しつつ説明する。
【００５２】
ホルムアルデヒド滅菌インジケータ１０は、冷蔵されることなく、常温条件下で輸送及び保管される。作業者によって例えば鋏、メス、及びピンセットのような医療器具である被滅菌物が、開口部１３からホルムアルデヒド滅菌インジケータ１０に収容され、開口部１３の下縁部１２ｂ寄りで、ベースシート１４と可撓シート１５とがヒートシーラによって熱溶着される。その後、必要に応じ常温条件下で輸送及び保管され又は速やかに、ホルムアルデヒド滅菌インジケータ１０に収容されたままの被滅菌物に、ホルムアルデヒド滅菌処理が施される。
【００５３】
まず、ホルムアルデヒドガス滅菌処理が施される場合を、説明する。被滅菌物を収容したホルムアルデヒド滅菌インジケータ１０が、滅菌器の滅菌室内の棚（不図示）に載置される。滅菌器の扉が閉められて滅菌室が密閉された後、滅菌器の加温装置に１２質量％のホルムアルデヒド水溶液が注入され、加温により生じたホルムアルデヒドガスが滅菌室内に導入される。ホルムアルデヒドガスは、加温装置と滅菌室とを繋ぐ導入路で温度低下を生じる。それにより常温の滅菌室内が２０００ｐｐｍのホルムアルデヒド雰囲気となる。なお、ホルムアルデヒド水溶液の加温時に、加温装置内を２０〜９０ｋＰａに減圧してもよい。このとき、滅菌室内は少なくとも９０ｋＰａにまで加圧されていることが好ましい。
【００５４】
この雰囲気が、１８０分間維持される。それにより、被滅菌物に滅菌処理が施されるとともに、ホルムアルデヒド滅菌インジケータ１０のインキ層１１に含まれる変色成分は、水溶媒や有機溶媒等の溶媒の非存在下、ホルムアルデヒドガス雰囲気下で、例えば白色から淡橙色に変色する。その結果、ホルムアルデヒド滅菌インジケータ１０は、インキ層１１の変色として、目視できるようになり、ホルムアルデヒドガス滅菌が完了したことを検知できる。
【００５５】
その後滅菌室内の残留ホルムアルデヒドガスが除去される。作業者によって滅菌器の扉が開かれ、ホルムアルデヒド滅菌インジケータ１０が、被滅菌物とともに取り出される。ホルムアルデヒド滅菌インジケータ１０は、第１インキ層１１ａと第２インキ層１１ｂとを有しているので、作業者が僅かにホルムアルデヒド滅菌インジケータ１０を手で掴んで傾ける。ホルムアルデヒド滅菌インジケータ１０が、所定の色調に変色していることを目視するだけで、滅菌処理が適正な条件下で、確実に施されたことを、速やかに確認することができる。それによって、ホルムアルデヒド滅菌インジケータ１０は、作業者の作業負担を軽減している。
【００５６】
次いで、ＬＴＳＦ滅菌処理が施される場合を、説明する。ホルムアルデヒドガス滅菌処理と同様に、ホルムアルデヒド滅菌インジケータ１０が滅菌室の棚に載置される。その後、密閉された滅菌室内が真空乃至５〜２５ｋＰａに減圧されるとともに、５５〜７０℃に保たれる。ホルムアルデヒド水溶液（ホルムアルデヒド濃度２〜３８質量％）の超音波による沸騰で生じたホルムアルデヒド含有水蒸気が滅菌室内に導入される。滅菌室内が、５５〜７０℃の温度、８０％ＲＨ以上の湿度に４５分間維持される。それにより、被滅菌物に滅菌処理が施されるとともに、ホルムアルデヒド滅菌インジケータ１０のインキ層１１に含まれる変色成分は、ホルムアルデヒドガス含有蒸気雰囲気下で、例えば白色から濃橙色に変色する。さらに、滅菌室内にアンモニアが導入され、ホルムアルデヒドが中和された後、作業者によって滅菌器の扉が開かれ、ホルムアルデヒド滅菌インジケータ１０が、被滅菌物とともに取り出される。このとき、ホルムアルデヒド滅菌インジケータ１０は白色に戻っていないので、作業者は、濃橙色に変色したホルムアルデヒド滅菌インジケータ１０を目視するだけで、ＬＴＳＦ滅菌処理が完了し滅菌処理が確実に行われたことを確認できる。
【００５７】
ホルムアルデヒド滅菌インジケータ１０は、図１及び２で示した滅菌バッグの他、ベースシートにインキ層が付されたシート、容器、及びコンテナであってもよい。
【００５８】
図３にホルムアルデヒド滅菌インジケータ１０である滅菌表示カードの平面図を示す。同図（ａ）は変色成分の変色前を、同図（ｂ）はそれの変色後を、夫々示している。また同図（ｃ）に、ホルムアルデヒド滅菌インジケータ１０のＢ−Ｂ線模式横断面図を示す。滅菌表示カードは、平面で矩形をなしている薄型のカードである。
【００５９】
図３（ｃ）に示すように、ホルムアルデヒド滅菌インジケータ１０は、ホルムアルデヒドガス及びホルムアルデヒド含有水蒸気を透過する滅菌紙であるベースシート１４と、これの一方の面に重なった熱可塑性樹脂製の被覆シートである可撓シート１５とを、有している。可撓シート１５は、透明な１枚のポリプロピレンフィルムである。変色成分を含むインキ層１１は、印刷層１６に囲まれつつベースシート１４に付され、これと可撓シート１５とに挟まれている。それによりインキ層１１は、輸送・保管時の擦傷や水濡れから保護されている。ベースシート１４と可撓シート１５とは、熱融着によって互いに貼り付いている。
【００６０】
同図（ａ）に示すように、ホルムアルデヒド滅菌インジケータ１０の短辺の一つに寄った位置に、「ＯＫ」の文字を描くように付されている。この状態で、インキ層１１に含まれている変色成分は、ベースシート１４と同色を呈しているので、可撓シート１５を通して視認されない。
【００６１】
滅菌表示カードであるホルムアルデヒド滅菌インジケータ１０は、常温で輸送や保管がされた後、被滅菌物にホルムアルデヒドガス滅菌処理又はＬＴＳＦ滅菌処理が行われる際、被滅菌物とともに滅菌室内に載置される。ホルムアルデヒド滅菌インジケータ１０が、ホルムアルデヒドガス又はホルムアルデヒド含有水蒸気のホルムアルデヒドと反応することによって、変色成分が変色し、変色成分がベースシート１４と異なる色調を呈する。それにより「ＯＫ」の文字が視認可能に現れて、滅菌処理が被滅菌物に、適正にかつ確実に施された結果、滅菌処理の完了が表示される。
【００６２】
インキ層１１に含まれる変色成分は接触するホルムアルデヒドの濃度や接触時間に依存して淡色から濃色へと変化する。例えば、滅菌の進行の程度と変色成分の濃淡とを対応させた標準色と、滅菌処理によって変色成分が呈する色調とを対比し、ホルムアルデヒド滅菌の完了に加えて、滅菌の程度や度合いを表示するように、ホルムアルデヒド滅菌インジケータ１０を用いてもよい。ホルムアルデヒド滅菌インジケータ１０は、化学インジケータとして、滅菌の適否を培養による細菌増殖の有無で検知する生物学的検出結果と同様な結果を示す。
【実施例】
【００６３】
以下、本発明の実施例を詳細に説明するが、本発明の範囲はこれらの実施例に限定されるものではない。
【００６４】
（実施例１−１）
ビヒクルとしてアクリル樹脂の５０ｇに、溶剤としてブチルセロソルブの５０ｇを、加えて混合してビヒクルを溶解した。これに変色成分として１−ナフトール−３−スルホン酸ナトリウムの１ｇを加えてボールミルポットに投入・混練して、ホルムアルデヒド滅菌インジケータ用インキを調製した。これをベースシートである矩形の滅菌紙にスクリーン印刷し、変色成分を含むインキ層を形成した。インキ層を乾燥させて溶剤を揮発させた後、このインキ層を挟むように、ポリプロピレン製の保護シートをベースシートに重ねて全面をヒートシーラで熱融着し、滅菌表示カードである実施例１−１のホルムアルデヒド滅菌インジケータを作製した。
【００６５】
（実施例１−２〜１−７）
変色成分の種類を表１に示すように変更したこと以外は、実施例１−１と同様にして滅菌表示カードである実施例１−２〜１−７のホルムアルデヒド滅菌インジケータを作製した。
【００６６】
【表１】
2018040584.tif 000007
【００６７】
（実施例２−１）
変色成分量を３０ｇとしたこと以外は、実施例１−１と同様にして滅菌表示カードである実施例２−１のホルムアルデヒド滅菌インジケータを作製した。
【００６８】
（実施例２−２〜２−７）
変色成分の種類を表２に示すように変更したこと以外は、実施例２−１と同様にして滅菌表示カードである実施例２−２〜２−７のホルムアルデヒド滅菌インジケータを作製した。
【００６９】
【表２】
2018040584.tif 000008
【００７０】
（実施例３−１）
ビヒクルとしてポリエステルアクリレート系ＵＶ硬化樹脂を用い、溶剤として酢酸エチルを用いたこと、及びスクリーン印刷に代えて凸版印刷としたこと以外は、実施例１−１と同様にして滅菌表示カードである実施例３−１のホルムアルデヒド滅菌インジケータを作製した。
【００７１】
（実施例３−２〜３−７）
変色成分の種類を表３に示すように変更したこと以外は、実施例３−１と同様にして滅菌表示カードである実施例３−２〜３−７のホルムアルデヒド滅菌インジケータを作製した。
【００７２】
【表３】
2018040584.tif 000009
【００７３】
（実施例４−１）
変色成分量を３０ｇとしたこと以外は、実施例３−１と同様にして滅菌表示カードである実施例４−１のホルムアルデヒド滅菌インジケータを作製した。
【００７４】
（実施例４−２〜４−７）
変色成分の種類を表４に示すように変更したこと以外は、実施例４−１と同様にして滅菌表示カードである実施例４−２〜４−７のホルムアルデヒド滅菌インジケータを作製した。
【００７５】
【表４】
2018040584.tif 000010
【００７６】
（実施例５−１）
ビヒクルとしてウレタン樹脂の１５ｇに、溶剤としてメチルエチルケトン（ＭＥＫ）の７ｇを、加えて混合してビヒクルを溶解した。これに変色成分として１−ナフトール−３−スルホン酸ナトリウムの０．１ｇを加えてボールミルポットに投入・混練し、ホルムアルデヒド滅菌インジケータ用インキを調製した。これを矩形のベースシートである滅菌紙の一方の面に、リング形を描くようにグラビア印刷して、第１インキ層を付した。この滅菌紙の他方の面に、矩形を描くようにグラビア印刷して、第２インキ層を付した。第１インキ層が外側となるように滅菌紙と可撓シートとを重ね、これらを周縁部の三辺にヒートシールを施して熱融着して接合部位を形成し、滅菌バッグである実施例４−１のホルムアルデヒド滅菌インジケータを作製した。
【００７７】
（実施例５−２〜５−７）
変色成分の種類を表５に示すように変更したこと以外は、実施例５−１と同様にして滅菌バッグである実施例５−２〜５−７のホルムアルデヒド滅菌インジケータを作製した。
【００７８】
【表５】
2018040584.tif 000011
【００７９】
（実施例６−１〜６−７）
各変色成分量を５ｇとしたこと以外は、実施例５−１〜５−７と夫々同様にして、滅菌バッグである実施例６−１〜６−７のホルムアルデヒド滅菌インジケータを作製した。
【００８０】
【表６】
2018040584.tif 000012
【００８１】
（比較例１）
特許文献３に準拠し、ビヒクルとしてＰＡＳ８００メジウム（十条ケミカル株式会社製、商品名）に、溶剤としてブチルセロソルブ３０ｇを加えて混合してビヒクルを溶解した。これに変色成分として硫酸ヒドラジンの２０ｇ、４，６−ジメチル−２−ヒドロキシピリミジンの５ｇ、マレイン酸の５ｇ、及びスルファニル酸の５ｇを加えてボールミルに投入し、７２時間混練して、ホルムアルデヒド滅菌インジケータ用インキを調製した。この後、実施例１−１と同様に操作して、比較例１のホルムアルデヒド滅菌インジケータを作製した。
【００８２】
（比較例２）
Ｔｅｍｐｉｌ社製のホルムアルデヒド滅菌用のインキ（商品名：Ｔｅｍｐｉｌｉｎｋ ＴＩＦＧＦＲＧ４９２）を矩形の滅菌紙にフレキソ印刷し、インキ層を形成した。この後、実施例１と同様に操作して、比較例２のホルムアルデヒド滅菌インジケータを作製した。
【００８３】
（比較例３）
比較例３のホルムアルデヒド滅菌インジケータとして、ｇｋｅ社製の滅菌カード（商品名：Self-adhesive package monitoring indicator）を用いた。
【００８４】
（比較例４）
比較例４のホルムアルデヒド滅菌インジケータとして、福沢商事株式会社から購入したＡＣＥ testバイオロジカルインジケータ付属のケミカルインジケータ（商品名：ＡＣＥ test バイオロジカルインジケータ（ホルマリン滅菌用）に付属しているケミカルインジケータ）を用いた。
【００８５】
（比較例５）
変色成分としてクロモトロプ酸二ナトリウムを用いたこと以外は、実施例１−１と同様に操作して、比較例５のホルムアルデヒド滅菌インジケータを作製した。
【００８６】
（ホルムアルデヒドガス滅菌処理試験）
実施例１−１〜１−７、及び比較例１〜５のホルムアルデヒド滅菌インジケータを、ホルムアルデヒドガス滅菌器（株式会社メディエート製、商品名：エコパルザーＰＳ−１４０Ｒ）内に重ならないように並べて載置した。その後、滅菌室を密閉し、滅菌室内のホルムアルデヒド濃度が２０００ｐｐｍとなるようにホルムアルデヒド水溶液を滅菌器の加温装置に注入して５０℃に加温し、ホルムアルデヒドを気化させ、滅菌室内の湿度を５０〜６０％ＲＨに維持しつつ１８０分間保持した。次いで、滅菌室内の残留ホルムアルデヒドガスを除去した後に、すべてのホルムアルデヒド滅菌インジケータを取り出し、目視にて変色の有無を確認した。
【００８７】
（ＬＴＳＦ滅菌処理試験）
実施例１−１〜１−７、及び比較例１〜５のホルムアルデヒド滅菌インジケータを、ＬＴＳＦ滅菌器（ＧＥＴＩＮＧＥ社製、商品名：ＨＳ６６ＴｕｒｂｏＬＴＳＦ）内に重ならないように並べて載置した。その後、滅菌室内を密閉して、ホルムアルデヒド含有水蒸気（ホルムアルデヒドの濃度２％）を滅菌室内に導入し、滅菌室内の湿度を８０％ＲＨ以上、温度を５５℃に維持しつつ４５分保持した。次いで、滅菌室内の残留ホルムアルデヒド含有水蒸気を除去した後に、すべてのホルムアルデヒド滅菌インジケータを、取り出し、目視にて変色の有無を確認した。
【００８８】
（保管加速試験）
実施例１−１〜１−７、及び比較例１〜５のホルムアルデヒド滅菌インジケータを、温度４０℃、湿度８０％ＲＨに保たれた恒温恒湿槽内に重ならないように並べ、６か月間放置するという保管加速試験を行った。その後、すべてのホルムアルデヒド滅菌インジケータを、取り出し、目視にて変色の有無を確認した。
【００８９】
なお、比較例１のホルムアルデヒド滅菌インジケータのみ、保管加速試験を経たサンプルをホルムアルデヒド滅菌処理試験及びＬＴＳＦ滅菌処理試験に供した。
【００９０】
ホルムアルデヒドガス滅菌処理試験、ＬＴＳＦ滅菌処理試験、及び保管加速試験の結果を表７にまとめて示す。表７中、ホルムアルデヒドガス滅菌処理試験、及びＬＴＳＦ滅菌処理試験について、○は変色ありを示し、×は所定の色調以外への変色又は滅菌未完了時に既に所定の色調への変色を示し、××は変色なしを示している。保管加速試験について、○は異常変色なしを、×はホルムアルデヒド非接触で変色したという異常変色ありを夫々示している。
【００９１】
【表７】
2018040584.tif 000013
【００９２】
表７に示すように、本発明を適用した実施例１−１〜１−７のホルムアルデヒド滅菌インジケータは、ホルムアルデヒドガス滅菌処理とＬＴＳＦ滅菌処理との双方の滅菌処理に使用できるとともに、常温で保管できるものであった。一方、比較例１〜５に示すように従来のホルムアルデヒド滅菌インジケータは、保管加速試験を経ることにより劣化したため、ホルムアルデヒドに曝さなくとも変色してしまったり、ホルムアルデヒドガス滅菌処理の完了を表示できなかったり、ＬＴＳＦ滅菌処理の完了前に変色したりしたため、ホルムアルデヒド滅菌インジケータとして、汎用性に欠けるものであった。
【産業上の利用可能性】
【００９３】
本発明のホルムアルデヒド滅菌インジケータは、常温で輸送・保管された後、ホルムアルデヒドガス滅菌処理とＬＴＳＦ滅菌処理との双方の滅菌処理に使用される。
【００９４】
本発明のホルムアルデヒド滅菌インジケータの使用方法は、常温で輸送・保管した後、ホルムアルデヒドガス滅菌処理とＬＴＳＦ滅菌処理とのいずれの滅菌処理であっても適用できる。
【符号の説明】
【００９５】
１０はアルデヒド滅菌インジケータ、１１はインキ層、１１ａは第１インキ層、１１ｂは第２インキ層、１２は接合部位、１２ａは側縁部、１２ｂは下縁部、１３は開口部、１４はベースシート、１５は可撓シート、１５ａは外側フィルム、１５ｂはラミネート層、１５ｃは内側フィルム、１６は印刷層である。
【図１】
2018040584.tif 000016
【図２】
2018040584.tif 000017
【図３】
2018040584.tif 000018